(57)【特許請求の範囲】
【請求項１】
内空部を有する基部と髪型部との組み合わせからなり、髪型部の係合部に基部の高壁部を係合するとともに、前記基部と前記髪型部を接着して一体化される日本人形の頭髪部において、前記基部の外周面および前記基部の底面と前記髪型部とのそれぞれの対向面間に凹部を形成し、前記高壁部の上端１７から基部の底面２６まで連続して延びる前記基部の外周面と前記髪型部との対向面間における凹部と前記底面の前端から後端まで連続して延びる前記基部の底面と前記髪型部との対向面間における凹部が互いに接続される一方、前記基部の底面と前記髪型部との対向面間の凹部が前記内空部の下端の内周面に沿って溝状に延びかつ前記内空部に向けて解放され、対向面間の余剰の接着剤が前記凹部に収置されるとともに、接着剤の一部が前記内空部へ移動し、前記内空部の下端に留置される日本人形の頭髪部構造。
【発明の詳細な説明】
【発明の属する技術分野】
【０００１】
本発明は日本人形の頭髪部にかんする。
【従来の技術】
【０００２】
日本人形の頭髪部構造として、実公平３−３１３５４号に開示されるのは、頭髪（６）の一部を台座５の凹部（６）に固着し、固着部（９）から頭髪（６）を放射状に分散して庇部３の全体を被覆するものであるが、頭髪（６）を凹部（６）における一か所の固着部（９）のみを起点として分散するため頭髪の自然な仕上がりという点では必ずしも十分とはいえなかった。
【発明が解決しようとする課題】
【０００３】
本発明はこのような日本人形の頭髪部構造を改良するものであり、頭髪の仕上がりがさらに自然であり、また接着が強固で安定した連結を可能にした日本人形の頭髪部構造を提供するものである。
【課題を解決するための手段】
【０００４】
この課題を解決するため、本発明にかかる日本人形の頭髪部構造は、内空部を有する基部と髪型部との組み合わせからなり、髪型部の係合部に基部の高壁部を係合するとともに、前記基部と前記髪型部を接着して一体化される日本人形の頭髪部において、前記基部の外周面および前記基部の底面と前記髪型部とのそれぞれの対向面間に凹部を形成し、前記高壁部の上端１７から基部の底面２６まで連続して延びる前記基部の外周面と前記髪型部との対向面間における凹部と前記底面の前端から後端まで連続して延びる前記基部の底面と前記髪型部との対向面間における凹部が互いに接続される一方、前記基部の底面と前記髪型部との対向面間の凹部が前期内空部の下端の内周面に沿って溝状に延びかつ前記内空部に向けて解放され、対向面間の余剰の接着剤が前記凹部に収置されるとともに、接着剤の一部が前記内空部へ移動し、前記内空部の下端に留置される。
【０００５】
前記基部と前記髪型部は接着して連結されるが、接着剤（塗布量）が十分でないと接着力が弱く、耐久性が劣る一方、接着剤（塗布量）が多過ぎると、接着時に余剰の接着剤が対向面間から外側に押し出され、周縁を汚し、あるいは作業上のマイナス要因となる。前記基部と前記髪型部を連結するとき、対向面間に十分な接着剤を供給（たとえば塗布）しても、余剰の接着剤が接着時に凹部に収置されるから、余剰の接着剤が対向面からその外側へ押し出されることがなく、余剰な接着剤の調整が可能となる。そして前記凹部に収置された接着剤はそのまま前記凹部内で硬化し、所定の接着力を発揮する。
【０００６】
前記凹部の構造や形成位置などは種々であるが、組み合わされた前記基部と前記髪型部との対向面間に凹部を形成する。すなわち、前記基部の外周面および／または前記基部の底面と、前記髪型部（の内側面）との対向面間に前記凹部を形成し、これにより余剰の接着剤が前記凹部に収置される。そして前記凹部は対向面間に形成されればよく、具体的には、対向する両面のうち一方のみに前記凹部を形成し、あるいは対向する両面に前記凹部を形成する。
【０００７】
また前記基部の外周面と前記髪型部との対向面間の前記凹部が前記基部の上端から底面まで連続して延びている。すなわち、前記凹部に収置しきれない余剰の接着剤はその一部が連続する前記凹部内で下方に押されて移動し（重力も関係する）、余剰量が多い場合はさらに前記基部の底面へ延びる凹部下端へと移動する。
【０００８】
また前記基部の底面と前記髪型部との対向面間の前記凹部が前後方向に連続し、かつ前記底面の前端から後端まで延びている。そこで、同様に、多量の余剰の接着剤は未硬化の状態でその一部が接着時に前後方向に連続する凹部内を適宜に移動し、凹部による余剰の接着剤の調整が可能となる。
【０００９】
また前記基部の底面と前記髪型部との対向面間の凹部が前期内空部の下端の内周面に溝状に延び、かつ前記内空部に解放されている。すなわち、余剰の接着剤が溝状の凹部内に収置しきれないほどに多い場合は、未硬化の接着剤の一部が溝状の凹部から解放された前記内空部へ押し出されるように移動し、前記内空部の下端に留置される。前記内空部の下端において留置されて硬化するから、作業上、その他、ほとんどマイナスの要因とならない。
【発明の実施の形態】
【００１０】
本発明にかかる日本人形の頭髪部構造の実施の形態を説明する。まず日本人形の頭髪部の形成方法について説明すると、高低差のある高壁部６と低壁部７により囲まれ、上方に開口９を有する高さ方向の内空部３を有する基部１と髪型部２とを組み合わせ、基部１に先端部１２が接着された頭髪条１１で髪型部２を被覆するとともに、このように被覆された髪型部２と顔部１０を連結した日本人形の頭髪部を対象とする。日本人形の頭髪部の形成方法は、第１工程と第２工程とからなり、さらに各工程は具体的な特徴を有する手段を含む。
【００１１】
すなわち第１工程は、上方の開口９から頭髪条１１の先端部１２を挿入するとともに、高壁部の内周面１３と低壁部の内周面１５にそれぞれ分散して接着剤８で接着する。接着剤８は高壁部の内周面１３と低壁部の内周面１５に、例えば、刷毛状の塗布具その他適宜な器具あるいは指先（いずれも図示せず）を使って塗布し、その後に頭髪条の先端部１２を内空部の内周面１３、１５に接着する。内空部３の内周面１３、１５が円弧状であり、頭髪条の先端部１２をほぼ均一に分散する一方、内周面１３、１５に沿って接着する。頭髪条１１の分散度は必要に応じて調整し、頭髪条の粗密度を変化させることもできる。頭髪条１１を適宜に分散することにより種々の頭髪に容易に対応できる。内空部３の内周面１３、１５（高壁部の内周面１３と低壁部の内周面１５）に頭髪条の先端部１２を接着するには、へら状や棒状の固着具、その他適当な器具１６を使用し、また指先（図示せず）で接着をすることもできる。
【００１２】
頭髪上の先端部１２は高壁部では内周面の上側部分１３ａに接着するのが好ましい。ここで「上側部分１３ａ」とは高壁部の上方側、つまり高壁部の上端１７に近い方の部位を指す。そこで例えば、低壁部の上端１９を基準とした場合、上端１９より高い（上方）部分が「上側部分１３ａ」となり、上端１９より低い（下方）部分が下側部分となるが、低壁部の上端１９より若干下方に位置する部分も「上側部分１３ａ」に含まれる。
【００１３】
頭髪条の先端部１２は高壁部６、低壁部７のいずれの内周面１３、１５から接着してもよいが、一方の内周面に頭髪条の先端部を仮接着した後、仮接着が未硬化状態において、他方の内周面に頭髪条の先端部を仮接着する。一方の仮接着が未硬化状態において他方の仮接着をおこなうから、頭髪条の分散と接着の作業を中断することなく連続しておこなうことができる。この場合、仮接着の順序はどちらを先にしてもよいが、低壁部の内周面１３における仮接着を先におこない、次に、高壁部の内周面１５における仮接着をおこなうのが望ましい。特に、高壁部６では内周面の上側部分１３ａ、つまり、低壁部の上端１９とほぼ同じ高さかあるいはそれより上方の部位に（仮）接着するのが好ましい。
【００１４】
第２工程は、高壁部および低壁部の両内周面１３、１５における仮接着が硬化後、両内周面１３、１５に接着された頭髪条の先端部１２を起点とし、頭髪条１１を顔部の周縁２０から髪型部２の表面側へ配置し、頭髪条１２で髪型部２を被覆する。頭髪条１２は髪型部２を全体的に被覆し、図示の「おすべらかし」髪型においては、頭髪条の後端部に近い部分１４が髪型部の突出部２１に紐（図示せず）などで結束し、日本人形の頭髪部１８が形成される。
【００１５】
組み合わされた基部１と髪型部２は両者の当接面を接着剤（図示せず）で接着する。この場合、髪型部２の係合凹部２２に基部の高壁部６を係合し、その当接面を接着剤（図示せず）で接着すればよい。すなわち、高壁部６の外周面２３と係合凹部２２の当接面、基部の底部２６と髪型部の内側面２７の当接面を接着剤（図示せず）で接着する。
【００１６】
基部１と髪型部２は接着して一体化されるが、基部１と髪型部２を一体化してから、基部１に頭髪条１１の先端部を接着してもよい。また先に基部１に頭髪条１１の先端部を接着し、それから基部１と髪型部２を接着剤で接着し、両者を一体化してもよい。このように一体化された基部１と髪型部２（頭髪条１１を被覆したもの）に対して顔部１０を接着し、日本人形の頭髪部が形成される。具体的には、顔部の周縁２０と基部１の上端（高壁部の上端１７および低壁部の上端１９）を対向して配置するとともに、対向面を接着剤で接着すればよい。
【００１７】
次に日本人形の頭髪部構造は、内空部３を囲む高壁部６と低壁部７を有する基部１と髪型部２との組み合わせにかかり、頭髪条１１が被覆された頭髪部２と顔部１０を連結したものである。髪型部２は所定の髪型に対応した形状であり、図示の場合は「おすべらかし」の髪型を対象とするが他の髪型でもよい（他の髪型は図示せず）。基部１は高壁部６と低壁部７に分けられ、高壁部６と低壁部７により囲まれた内空部３が基部１を貫通している。高壁部および低壁部の両内周面１３、１５（内空部３の内周面）は円弧状の湾曲面であり、内空部３は上方に向けやや大きく開口９しているが、同じ大きさでもよい（後者は図示せず）。頭髪条１１は先端部１２が高壁部の内周面１３と低壁部の内周面１５にそれぞれ均一状、あるいは分散度を異にして接着され、接着部をそれぞれ起点として頭髪条１１が顔部の周縁２０から髪型部２の表面側へと配置され、髪型部２が全体的に頭髪条１１で被覆されている。
【００１８】
基部１と髪型部２との組み合わせからなる頭髪部において基部１と髪型部２が接着して連結される。図示の場合、髪型部２の係合部２２に基部の高壁部６を係合し、係合部２２と高壁部の外周面２３の当接面を接着剤（図示せず）で接着し、基部１と髪型部２が連結されている。基部１と髪型部２ｔの対向面間に凹部２５が形成され、対向面間における余剰の接着剤（図示せず）が凹部２５に収置される。すなわち、基部の外周面２３および／または基部の底面２６と髪型部２との対向面間に凹部２５が形成され、塗布された対向面間の余剰の接着剤が凹部２５に収置される。高壁部の外周面２３と髪型部２との対向面間の凹部２５は高壁部の上端１７から基部の底面２６まで延びている。また基部の底面２６と髪型部２（の内側面２７）との対向面間の凹部２５は前後方向に連続し、かつ底面の前端２９から後端３０まで延びている。すなわち図２、４に示すように高壁部の外周面２３と髪型部２との対向面間の凹部２５は、前後方向に連続する、基部の底面２６と髪型部２との対向面間の凹部２５に接続されている。
【００１９】
凹部２５は基部１と髪型部２との対向面の間に形成すればよく、たとえば、基部１、つまり高壁部の外周面２３および／または基部の底面２６に凹部２５を形成する。図示の場合は凹部２５が高壁部の外周面２３と基部の底面２６に形成してある。また、髪型部２、例えばその内側面２７に凹部２５を形成してもよく、さらに基部１と髪型部（の内側面２７）の両者に凹部を形成してもよい（図示せず）。凹部２５は１個でも複数個でもよく、また非連続でもよい。いずれの場合も基部１と髪型部２との対向面間の余剰な接着剤が接着時において凹部２５に収置される。
【００２０】
そして基部の底面２６と髪型部２との対向面間の凹部２５は内空部の下端内面に溝状に延び、かつ内空部３に向け解放されている。すなわち余剰な接着剤（図示せず）が溝状の凹部２５に収置される一方、凹部２５に収置しきれない未硬化の接着剤はその一部が、内空部３に向け解放されている凹部２５から内空部３へと移動して滞留する。
【００２１】
このように、本発明にかかる日本人形の頭髪部構造によれば十分な接着による強固で安定した連結が可能となる。
【図面の簡単な説明】
【図１】本発明にかかる日本人形の頭髪部構造における基部の上方側の斜視図である。
【図２】同基部の下方側の斜視図である。
【図３】同基部の平面図である。
【図４】同基部の底面図である。
【図５】同基部の正面図である。
【図６】組み合わされる基部と頭髪型部を分離して示す斜視図である。
【図７】組み合わされた基部と頭髪型部を示す斜視図である。
【図８】組み合わされた基部と頭髪型部であり、頭髪型部に頭髪条を被覆した状態を示す斜視図である。
【図９】頭髪型部に組み合わされる前の基部を示す斜視図である。
【図１０】組み合わされる基部と頭髪型部を分離し、かつ基部に頭髪条を接着した状態を示す斜視図である。
【図１１】組み合わされた基部と頭髪型部であり、基部に頭髪条を接着した状態を示す斜視図である。
【図１２】組み合わされた基部と頭髪型部であり、基部に頭髪条を接着した状態を示す背面図である。
【図１３】基部の内空部の内周面に頭髪条の先端部を接着する説明的な断面図である。
【図１４】組み合わされた基部と頭髪型部の断面図である。
【図１５】連結された基部と頭髪型部に接着される顔部の側面図である。
【図１６】本発明にかかる日本人形の頭髪部構造を一部破断して示す側面図である。
【図１７】同日本人形の頭髪部構造の側面図である。
【符号の説明】
１  基部
２  髪型部
３  内空部
６  高壁部
７  低壁部
８  接着剤
９  開口
１０  顔部
１１  頭髪条
１２  頭髪条の先端部
１３  高壁部の内周面
１５  低壁部の内周面
１６  固着具
１７  高壁部の上端
１９  低壁部の上端
２０  顔部の周縁
２１  突出部
２２  係合部
２３  高壁部の外周面
２５  凹部
２６  基部の底面
２７  髪型部の内側面
２９  底面の前端
３０  底面の後端
【図１】
0003956028.tif 000002
【図２】
0003956028.tif 000003
【図３】
0003956028.tif 000004
【図４】
0003956028.tif 000005
【図５】
0003956028.tif 000006
【図６】
0003956028.tif 000007
【図７】
0003956028.tif 000008
【図８】
0003956028.tif 000009
【図９】
0003956028.tif 000010
【図１０】
0003956028.tif 000011
【図１１】
0003956028.tif 000012
【図１２】
0003956028.tif 000013
【図１３】
0003956028.tif 000014
【図１４】
0003956028.tif 000015
【図１５】
0003956028.tif 000016
【図１６】
0003956028.tif 000017
【図１７】
0003956028.tif 000018